(57)【要約】【課題】  本発明は、固定ブラケットの外壁に固定される固定位置の位置決めが容易に出来、雨水の落下を庇本体の先端側面の左側、或いは右側、若しくは左右両方からの落下に適宜設定出来る庇を提供することを可能にすることを目的としている。【解決手段】  平板状の庇本体１と、該庇本体１に対して起立して接続され、外壁２に固定される固定片１ｂと、一端部が該固定片１ｂに対して回動可能に軸支され、他端部に外壁２に固定される固定ブラケット８が取り付けられ、該固定ブラケット８の外壁２に固定される固定位置を決める位置決め部材12と、一端部が庇本体１に対して回動可能に連結され、他端部が固定ブラケット８に対して回動可能に連結されるステー10とを有して構成したことを特徴とする。【選択図】      図１
2008063750.tif 000002
【特許請求の範囲】
【請求項１】
平板状の庇本体と、
前記庇本体に対して起立して接続され、外壁に固定される固定片と、
一端部が前記固定片に対して回動可能に軸支され、他端部に前記外壁に固定される固定ブラケットが取り付けられ、該固定ブラケットの前記外壁に固定される固定位置を決める位置決め部材と、
一端部が前記庇本体に対して回動可能に連結され、他端部が前記固定ブラケットに対して回動可能に連結されるステーと、
を有することを特徴とする庇。
【請求項２】
前記庇本体は可撓性を有すると共に先端部に水止め片を有し、前記ステーが伸縮可能に構成されたことを特徴とする請求項１に記載の庇。
【発明の詳細な説明】
【技術分野】
【０００１】
本発明は、建築物の庇に関するものである。
【背景技術】
【０００２】
従来の庇は雨水の排水をするために庇本体に樋を設けており、樋を設けていない場合には庇全面から雨水が落下する等の問題があった。また、庇を固定する外壁の表面状態や取り付ける作業者によって庇本体を支持するステーを外壁に取り付ける固定ブラケットの外壁への取り付け位置がまちまちになり、施工後の庇の勾配がまちまちになってしまうという問題が有り、固定ブラケットの外壁への取り付け位置を正確に取り付けるには熟練を要し、時間をかけた位置出しが必要で、不本意な水勾配で一旦、庇を施工すると後で調整することが困難であった。
【０００３】
また、庇本体と、ステーを外壁に取り付ける固定ブラケットとは別々に施工するため、その都度、各部材を支えて高い不安定な位置で施工する必要があるため施工性が悪いという問題もあった。
【０００４】
また、特開２００３−１６０９９３号公報（特許文献１）には、板ガラスからなる庇本体を回転可能なユニバーサルジョイントと伸縮可能な支持アームを介して外壁に取り付ける構造が提案されている。
【０００５】
【特許文献１】特開２００３−１６０９９３号公報
【発明の開示】
【発明が解決しようとする課題】
【０００６】
しかしながら、前述の特許文献１の技術では、支持アームの外壁側に設けられるユニバーサルジョイントを外壁に固定するアンカーの位置決め作業が困難であり、施工後の庇の勾配がまちまちになってしまうという問題があった。
【０００７】
また、板ガラスの後端支持部が板ガラスを起伏自在かつ水平方向回動自在に支持され、支持アームの長さを伸縮調節することにより板ガラスの先端を上下させてその水平方向の角度を調節し、かつ左右方向の角度を調節して適切な状態に設定することが出来るものの、可撓性を有さない板ガラスでは庇本体の勾配を自由に変化させることが出来ず、庇全面から雨水が落下する等の問題があった。
【０００８】
本発明は前記課題を解決するものであり、その目的とするところは、固定ブラケットの外壁に固定される固定位置の位置決めが容易に出来、雨水の落下を庇本体の先端側面の左側、或いは右側、若しくは左右両方からの落下に適宜設定出来る庇を提供せんとするものである。
【課題を解決するための手段】
【０００９】
前記目的を達成するための本発明に係る庇の第１の構成は、平板状の庇本体と、前記庇本体に対して起立して接続され、外壁に固定される固定片と、一端部が前記固定片に対して回動可能に軸支され、他端部に前記外壁に固定される固定ブラケットが取り付けられ、該固定ブラケットの前記外壁に固定される固定位置を決める位置決め部材と、一端部が前記庇本体に対して回動可能に連結され、他端部が前記固定ブラケットに対して回動可能に連結されるステーとを有することを特徴とする。
【００１０】
また、本発明に係る庇の第２の構成は、前記第１の構成において、前記庇本体は可撓性を有すると共に先端部に水止め片を有し、前記ステーが伸縮可能に構成されたことを特徴とする。
【発明の効果】
【００１１】
本発明に係る庇の第１の構成によれば、一端部が庇の外壁に固定される固定片に対して回動可能に軸支され、他端部に外壁に固定される固定ブラケットが取り付けられた位置決め部材により該固定ブラケットの外壁に固定される固定位置を位置決めすることが出来、固定ブラケットの固定作業が容易に出来る。そして、一端部が庇本体に対して回動可能に連結されたステーの他端部を外壁に固定した固定ブラケットに対して連結することにより庇本体を外壁に支持させることが出来る。
【００１２】
また、本発明に係る庇の第２の構成によれば、庇本体を支持するステーを伸縮させて該ステーの長さを調節することにより可撓性を有する庇本体を湾曲させて該庇本体により形成される水勾配を変化させることで、先端部に設けた水止め片と協働して雨水の排水方向を所望の方向に設定することが出来る。
【発明を実施するための最良の形態】
【００１３】
図により本発明に係る庇の一実施形態を具体的に説明する。先ず、図１〜図５を用いて本発明に係る庇の第１実施形態の構成について説明する。図１は本発明に係る庇の第１実施形態の構成を示す斜視図、図２は本発明に係る庇の第１実施形態の構成を示す平面説明図及び側面説明図、図３は第１実施形態の位置決め部材を格納した様子を示す斜視図、図４は第１実施形態の位置決め部材を所定角度倒した状態で固定ブラケットの固定位置を位置決めする様子を示す斜視図、図５は第１実施形態の左右のステーの長さを変えて庇本体を湾曲させて水勾配を形成した様子を示す斜視説明図である。
【００１４】
図１及び図２において、１は可撓性を有する平板状の庇本体であり、該庇本体１の先端部（外壁２と反対側の辺）には該庇本体１の先端部（外壁２と反対側の辺）の全長に亘って上方に所定角度で折曲された水止め片１ａが形成されている。
【００１５】
また、庇本体１の後端部（外壁２側の辺）には該庇本体１に対して該庇本体１の後端部（外壁２側の辺）の全長に亘って上方に起立して接続された固定片１ｂが形成されており、図２に示すように、該固定片１ｂに形成された貫通穴1b1に固定部材となる固定ビス11を挿通してスペーサ３を介して外壁２に固定することにより庇本体１の固定片１ｂが外壁２に固定される。尚、固定片１ｂは庇本体１に対して直角若しくは鈍角に起立させることが出来る。
【００１６】
ここで、庇本体１の材質としては可撓性を有する金属製の薄板或いは可撓性の合成樹脂板等により作成することが出来る。
【００１７】
庇本体１の固定片１ｂの左右両端部近傍には、該固定片１ｂに対して位置決め部材12の一端部が支軸12ａを介して回動可能に軸支されており、該位置決め部材12の他端部には外壁２に固定される固定ブラケット８が図示しない支軸を介して回転可能に軸支されている。位置決め部材12の両端部の支軸はピン、リベット等の公知の支軸部材により軸支することが出来る。
【００１８】
このような構成により、固定ブラケット８の外壁２に対する取り付け位置は支軸12ａを中心に回動する位置決め部材12を半径とする円周上に規定され、該位置決め部材12により固定ブラケット８の外壁２に固定される固定位置を決めることが出来る。
【００１９】
従って、図１に示すように位置決め部材12を直立した状態で固定ブラケット８の外壁２への固定位置を決めることも出来、図４に示すように、位置決め部材12をそれぞれやや中央側に倒した状態で固定ブラケット８の外壁２への固定位置を決めることも出来る。
【００２０】
固定ブラケット８には固定片８ａと連結片８ｂが設けられており、固定片８ａに設けられた貫通穴8a1に固定部材となる固定ビス11を挿通して外壁２に固定することにより固定ブラケット８の固定片８ａが外壁２に固定される。また、連結片８ｂには支軸９ａを介して連結金具９が固定ブラケット８の連結片８ｂに対して回動可能に取り付けられている。
【００２１】
一方、庇本体１の先端部側の左右両端部近傍には、該庇本体１に設けられた図３に示す貫通穴１ｃに下方から挿通された支持ボルト４にネジ溝６ａが螺合する固定金具６が庇本体１を介在させて回転可能に取り付けられており、該固定金具６の外周面に形成されたネジ部６ｂに締め込みナット５が螺合されている。また、固定金具６には支軸７ａを介して連結金具７が該固定金具６に対して回動可能に取り付けられている。
【００２２】
連結金具７，９の内部には、一方が正方向で他方が逆方向の一対のネジ溝７ｂ，９ｂが形成されており、該ネジ溝７ｂ，９ｂにはステー10の両端部にそれぞれ形成された一方が正方向で他方が逆方向の一対のネジ部10ａ，10ｂがそれぞれ螺合し得るように構成されている。
【００２３】
ステー10は締め込みナット５を緩めた状態で固定金具６を中心に回動自在に構成され、支軸12ａを中心に回動する位置決め部材12に連結された固定ブラケット８の固定位置を確定した段階で固定金具６の外周面に設けられたネジ部６ｂに締め込みナット５を螺合締結して該締め込みナット５の下端部を庇本体１の表面に当接押圧させることでステー10が固定される。尚、締め込みナット５の代わりに庇本体１と固定金具６との間に反発力を有する弾性部材からなるスペーサを介在させて該弾性部材の押圧によりステー10を固定する構成とすることも出来る。
【００２４】
このように、ステー10の一端部は固定金具６及び連結金具７により庇本体１に対して回動可能に連結され、該ステー10の他端部は連結金具９により固定ブラケット８に対して回動可能に連結される。また、連結金具７，９のネジ溝７ｂ，９ｂにステー10のネジ部10ａ，10ｂをそれぞれ螺合して連結し、ステー10の中央部に設けられた工具用溝部10ｃにスパナ等の工具を挟んで所望の方向に回転させることにより、一方が正方向で他方が逆方向の一対のネジ溝７ｂ，９ｂ及びネジ部10ａ，10ｂの作用によりステー10が伸縮可能に構成される。
【００２５】
上記構成によれば、一端部が庇の外壁２に固定される固定片１ｂに対して回動可能に軸支され、他端部に外壁２に固定される固定ブラケット８が取り付けられた位置決め部材12により該固定ブラケット８の外壁２に固定される固定位置を位置決めすることが出来、固定ブラケット８の固定作業が容易に出来る。そして、一端部が庇本体１に対して回動可能に連結されたステー10の他端部を外壁２に固定した固定ブラケット８に対して連結することにより庇本体１を外壁２に支持させることが出来る。
【００２６】
また、庇本体１を支持するステー10を所望の方向に回転させることにより伸縮させて該ステー10の長さを調節することにより、図５に示すように、可撓性を有する庇本体１を湾曲させて該庇本体１により形成される水勾配を変化させることで、庇本体１の先端部に設けた水止め片１ａと協働して雨水の排水方向を所望の方向に設定することが出来る。
【００２７】
図５では外壁２に向かって左側のステー10を短く設定して庇本体１の左側を局部的に持ち上げると共に、外壁２に向かって右側のステー10を長く設定して庇本体１の右側を局部的に押し下げることにより該庇本体１の先端部が「く」の字形状になるように湾曲した一例であり、庇本体１で受けた雨水が湾曲した庇本体１と水止め片１ａとの協働により庇本体１の右側先端部に集水されて排水される一例である。
【００２８】
また、図３に示すように、支軸12ａを中心に位置決め部材12を回転させて固定片１ｂに平行するように格納することにより、位置決め部材12により連結された庇本体１と固定ブラケット８とをセットにしてコンパクトに梱包出来、固定ブラケット８が紛失することもない。
【００２９】
また、施工時には固定ブラケット８を外壁２に固定しない状態で位置決め部材12により連結された仮止め状態とすることが出来、ステー10を連結して庇本体１の勾配角度を調節した上で固定ブラケット８を外壁２に固定することが出来、従来では固定ブラケットを外壁に固定して初めて庇本体の勾配角度が確認出来、固定位置の修正を行うことも困難であったが、本実施形態では固定ブラケット８を外壁２に固定する前に庇本体１の勾配角度が確認出来、固定位置の修正を行う必要もない。
【００３０】
上記庇は積雪、暴風雨に耐え得る耐荷重性能を有し、雨水の排水をするために庇本体１の先端部に向けて水勾配を付け、その先端部には水止め片１ａを設けることにより庇本体１の先端部全面からの雨水落下を防止し、ステー10の長さを調節することにより庇本体１の水勾配を変化させることで、雨水の落下を庇本体１の先端部の右側、或いは左側、若しくは両側に適宜選択的に設定することが出来る。
【００３１】
次に、図６〜図９を用いて本発明に係る庇の第２実施形態の構成について説明する。図６は本発明に係る庇の第２実施形態の構成を示す斜視図、図７は本発明に係る庇の第２実施形態の構成を示す平面説明図及び側面説明図、図８は第２実施形態の位置決め部材を所定角度倒した状態で固定ブラケットの固定位置を位置決めする様子を示す斜視図、図９は固定ブラケットとステーとを回動可能に連結するヒンジ部の構成を示す斜視説明図である。尚、前記第１実施形態と同様に構成したものは同一の符号を付して説明を省略する。
【００３２】
本実施形態では、図６〜図９に示すように、固定ブラケット８の固定片８ａに接続された連結片８ｂにヒンジ部材８ｃが回動自在に連結されており、該ヒンジ部材８ｃに設けられた貫通穴8c1と連結金具９に設けられた貫通穴9a1とにボルト13ａを挿通し、ナット13ｂにより係止した支軸９ａにより連結金具９がヒンジ部材８ｃに対して回動自在に連結されている。
【００３３】
これにより、ステー10と固定ブラケット８との間の回動可能な節部が増えて、図８に示すように、位置決め部材12を庇本体１の中央側に傾斜させても固定ブラケット８の固定片８ａを外壁２に対して平行に対向させることが出来、ステー10と位置決め部材12とに連結された固定ブラケット８の位置調整が更に円滑に出来る。他の構成は前記第１実施形態と同様に構成され、同様の効果を得ることが出来る。
【産業上の利用可能性】
【００３４】
本発明の活用例として、建築物の庇に適用することが出来る。
【図面の簡単な説明】
【００３５】
【図１】本発明に係る庇の第１実施形態の構成を示す斜視図である。
【図２】本発明に係る庇の第１実施形態の構成を示す平面説明図及び側面説明図である。
【図３】第１実施形態の位置決め部材を格納した様子を示す斜視図である。
【図４】第１実施形態の位置決め部材を所定角度倒した状態で固定ブラケットの固定位置を位置決めする様子を示す斜視図である。
【図５】第１実施形態の左右のステーの長さを変えて庇本体を湾曲させて水勾配を形成した様子を示す斜視説明図である。
【図６】本発明に係る庇の第２実施形態の構成を示す斜視図である。
【図７】本発明に係る庇の第２実施形態の構成を示す平面説明図及び側面説明図である。
【図８】第２実施形態の位置決め部材を所定角度倒した状態で固定ブラケットの固定位置を位置決めする様子を示す斜視図である。
【図９】固定ブラケットとステーとを回動可能に連結するヒンジ部の構成を示す斜視説明図である。
【符号の説明】
【００３６】
１…庇本体
１ａ…水止め片
１ｂ…固定片
1b1…貫通穴
１ｃ…貫通穴
２…外壁
３…スペーサ
４…支持ボルト
５…締め込みナット
６…固定金具
６ａ…ネジ溝
６ｂ…ネジ部
７…連結金具
７ａ…支軸
７ｂ…ネジ溝
８…固定ブラケット
８ａ…固定片
8a1…貫通穴
８ｂ…連結片
８ｃ…ヒンジ部材
8c1…貫通穴
９…連結金具
９ａ…支軸
9a1…貫通穴
９ｂ…ネジ溝
10…ステー
10ａ，10ｂ…ネジ部
10ｃ…工具用溝部
11…固定ビス
12…位置決め部材
12ａ…支軸
13ａ…ボルト
13ｂ…ナット
【図１】
2008063750.tif 000003
【図２】
2008063750.tif 000004
【図３】
2008063750.tif 000005
【図４】
2008063750.tif 000006
【図５】
2008063750.tif 000007
【図６】
2008063750.tif 000008
【図７】
2008063750.tif 000009
【図８】
2008063750.tif 000010
【図９】
2008063750.tif 000011